(57)【要約】【課題】本発明は光学レンズ分野に関し、レンズモジュールを提供する。【解決手段】本発明に係るレンズモジュールは、レンズと、前記レンズを収容する鏡筒と、前記鏡筒を収容するレンズホルダとを備え、前記鏡筒が前記レンズホルダの物体側から前記レンズホルダに組み込むことで、結像本体が構成され、前記レンズモジュールは、収容空間を有する押え防止部材をさらに備え、前記押え防止部材は、スルーホールを形成するように囲み且つ前記鏡筒の物体側に設けられる頂壁と、前記頂壁の光軸から離間する縁より像側へ屈曲して延在する側壁とを備え、前記頂壁と前記側壁とは、収容空間を形成するように囲み、前記収容空間には、前記結像本体の少なくとも一部が収容されている。本発明に提供されるレンズモジュールは、組立中に破損しにくく、自体の性能が影響を受けることを避けることができる。【選択図】図１
2020024393.tif 000002
【特許請求の範囲】
【請求項１】
レンズと、前記レンズを収容する鏡筒と、前記鏡筒を収容するレンズホルダとを備え、前記鏡筒が前記レンズホルダの物体側から前記レンズホルダに組み込むことによって結像本体が構成されるレンズモジュールであって、
前記レンズモジュールは、収容空間を有する押え防止部材をさらに備え、
前記押え防止部材は、スルーホールを形成するように囲み且つ前記鏡筒の物体側に設けられる頂壁と、前記頂壁の光軸から離間する縁より像側へ屈曲して延在する側壁とを備え、
前記頂壁と前記側壁とは、収容空間を形成するように囲み、前記収容空間には、前記結像本体の少なくとも一部が収容されている、ことを特徴とするレンズモジュール。
【請求項２】
前記側壁と前記レンズホルダとには、ねじが設けられており、
前記レンズホルダと前記側壁とは、ねじにより嵌合固定されている、ことを特徴とする請求項１に記載のレンズモジュール。
【請求項３】
前記押え防止部材には、前記頂壁を貫通して前記収容空間に連通するスロットが開設されている、ことを特徴とする請求項２に記載のレンズモジュール。
【請求項４】
前記スロットと前記頂壁の外縁とは、互いに間隔をあけている、ことを特徴とする請求項３に記載のレンズモジュール。
【請求項５】
前記スロットは、前記頂壁の外縁に接し、前記スロットは、前記側壁を貫通している、ことを特徴とする請求項３に記載のレンズモジュール。
【請求項６】
前記スロットの数は、少なくとも２つである、ことを特徴とする請求項４又は５に記載のレンズモジュール。
【請求項７】
前記スロットは、前記光軸の周りに等間隔で分布している、ことを特徴とする請求項６に記載のレンズモジュール。
【請求項８】
前記スロットは、前記鏡筒の光軸を周回して弧状をなし、かつ、前記弧状の弧長に対応する中心角は、０度より大きく且つ９０度未満であることを特徴とする請求項７に記載のレンズモジュール。
【請求項９】
前記レンズホルダと前記鏡筒とは、一体成型されている、ことを特徴とする請求項１に記載のレンズモジュール。
【発明の詳細な説明】
【技術分野】
【０００１】
本発明は光学レンズ分野に関し、特にレンズモジュールに関する。
【背景技術】
【０００２】
近年、科学技術が絶えずに発展しているに伴い、電子機器はインテリジェント化に向かって進展しており、デジタルカメラに加えて、タブレットＰＣや携帯電話などの携帯電子機器にもレンズモジュールが配置されている。従来技術では、レンズモジュールは、一般的にレンズ、レンズを収容する鏡筒、及び鏡筒を収容するレンズホルダを備える。
【発明の概要】
【発明が解決しようとする課題】
【０００３】
本発明の発明者は、従来技術では少なくとも以下の問題が存在すると見だした。電子機器内で部品が密集しているため、レンズモジュールを電子機器に組み込む組立のプロセスで、電子機器においてレンズモジュールの周囲に設けられる部品が、レンズモジュールにおける鏡筒及びレンズホルダと硬く接触し、ひいてはレンズモジュールにおける鏡筒及びレンズホルダを押圧することによって、レンズモジュールを破損させやすく、さらにレンズモジュールの性能に影響する。
【課題を解決するための手段】
【０００４】
本発明は、組立中に破損し難く、自体の性能が影響されることを避けることが可能なレンズモジュールを提供することを目的とする。
【０００５】
上記技術的問題を解決するために、本発明の実施形態は、レンズと、前記レンズを収容する鏡筒と、前記鏡筒を収容するレンズホルダとを備えるレンズモジュールを提供し、前記鏡筒が前記レンズホルダの物体側から前記レンズホルダに組み込むことで、結像本体が構成され、前記レンズモジュールは、収容空間を有する押え防止部材をさらに備え、前記押え防止部材は、スルーホールを形成するように囲み且つ前記鏡筒の物体側に設けられる頂壁と、前記頂壁の光軸から離間する縁より像側へ屈曲して延在する側壁とを備え、前記頂壁と前記側壁は、収容空間を形成するように囲み、前記収容空間には、前記結像本体の少なくとも一部が収容されている。
【０００６】
本発明における実施形態は、従来技術に対して、押え防止部材の頂壁と側壁が囲むことによって形成された収容空間にはレンズホルダと鏡筒とを少なくとも部分的に収容するため、押え防止部材によってレンズホルダと鏡筒を電子機器でレンズモジュールの周囲に設けられる部品と隔てることができるので、レンズモジュールの周囲に設けられる部品が、鏡筒とレンズホルダに対し直接押圧したり衝突したりすることを避けることができ、レンズモジュールが組立中に破損しにくく、レンズモジュールの性能が影響を受けることを避けることができる。
【０００７】
また、側壁とレンズホルダには、ねじが設けられており、レンズホルダと側壁とは、ねじにより嵌合固定されている。
【０００８】
また、押え防止部材には、頂壁を貫通して収容空間に連通するスロットが開設されている。スロットは、接着剤を充填するために使用することができ、鏡筒およびレンズホルダと押え防止部材との固定をより強固し、レンズモジュール全体の信頼性を向上させることができる。
【０００９】
また、スロットと頂壁の外縁とは、互いに間隔をあけている。
【００１０】
また、スロットは、頂壁の外縁に接し、スロットは、側壁を貫通している。
【００１１】
また、スロットの数は、少なくとも２つである。このように、少なくとも２つのスロットから収容空間内にコロイドを充填することが可能となり、鏡筒及びレンズホルダと押え防止部材との間の接着面積を増大させて、レンズホルダ及び鏡筒と押え防止部材との接着力を増大させることができ、レンズホルダおよび鏡筒と押え防止部材とを強固に固定させることができる。
【００１２】
また、スロットは、光軸の周りに等間隔で分布している。このように設置することで、鏡筒及びレンズホルダと押え防止部材との接着力の分布を均一にし、レンズモジュールの信頼性をさらに向上させる。
【００１３】
また、スロットは、鏡筒の光軸を周回して弧状をなし、且つ弧状の弧長に対応する中心角は、０度より大きく、且つ９０度未満である。
【００１４】
また、レンズホルダと鏡筒は、一体成型されている。
【図面の簡単な説明】
【００１５】
【図１】本発明に係るレンズモジュールの断面構造模式図である。
【図２】本発明に係るレンズモジュールの爆発図である。
【発明を実施するための形態】
【００１６】
本発明の目的、解決手段およびメリットがより明瞭になるように、以下、図面を参照しながら本発明の各実施形態を詳細に説明する。しかしながら、本発明の各実施形態において、本発明をよりよく理解するために、多くの技術詳細を述べることは、当業者には理解されることである。しかし、これらの技術詳細および以下の各実施形態に基づく様々な変更および修正がなくても、本発明の各請求項が保護請求する技術案も実現できる。
【００１７】
本発明の第１実施形態に係るレンズモジュール１００は、図１と図２に示すように、レンズ１１と、鏡筒１２と、レンズホルダ１３と、押え防止部材１４とを備え、鏡筒１２はレンズ１１を収容し、レンズホルダ１３は鏡筒１２を収容する。鏡筒１３がレンズホルダ１３の物体側からレンズホルダ１３に組み込むことで、結像本体が構成される。押え防止部材１４は、収容空間１４０を有し、押え防止部材１４は、頂壁１４１と、側壁１４２とを備え、頂壁１４１は、スルーホール１４１０を形成するように囲み、鏡筒１２を押圧保持し、側壁１４２は、頂壁１４１の光軸ＯＯ´から離間する縁より像側へ屈曲して延在し、頂壁１４１と側壁１４２は、収容空間１４０を形成するように囲み、収容空間１４０には、当該結像本体の少なくとも一部が収容され、即ち、レンズホルダ１３及び鏡筒１２の少なくとも一部が当該収容空間１４０内に収容される。
【００１８】
本発明の実施形態は、従来技術に対して、押え防止部材１４の頂壁１４１と側壁１４２が囲むことによって形成された収容空間１４０はレンズホルダ１と鏡筒１２とを少なくとも部分的に収容するため、押え防止部材によってレンズホルダ１３および鏡筒１２を電子装置においてレンズモジュール１００の周囲に設けられる部品と隔てることができ、これによってレンズモジュール１００の周囲に設けられる部品が鏡筒１２およびレンズホルダ１３に対して直接押圧したり、衝突したりすることを避けることができ、レンズモジュール１００が組立中に破損しにくく、レンズモジュール１００の性能が影響を受けることを避けることができる。
【００１９】
以下、本実施形態に係るレンズモジュールの詳細を具体的に説明し、以下の内容は、理解のために提供される詳細のみであり、本技術案を実施するために必須なものではない。
【００２０】
本実施形態では、レンズホルダ１３と鏡筒１２とは、別体に設計され、収容空間１４０にはレンズホルダ１３と鏡筒１２とを少なくとも部分的に収容するとは、収容空間１４０には鏡筒１２の物体側に近接する一端とレンズホルダ１３の物体側に近接する一端とを収容することを意味する。言うまでもなく、本発明の置換可能な実施形態では、レンズホルダ１３と鏡筒１２は、一体成型されてもよく、レンズホルダ１３は、鏡筒１２の像側に近接する一端に設けられ、この場合、収容空間１４０にはレンズホルダ１３と鏡筒１２とを少なくとも部分的に収容するとは、収容空間１４０には鏡筒１２全体およびレンズホルダ１３の物体側に近接する一端を収容することを意味する。
【００２１】
本実施形態では、側壁１４２とレンズホルダ１３とには、ねじが設けられており、レンズホルダ１３と側壁１４２は、ねじにより嵌合固定されている。本発明の置換可能な実施形態では、側壁１４２とレンズホルダ１３は、他の形態で嵌合することも可能であり、例えば、レンズホルダ１３に突起を設け、側壁１４２に溝を設け、突起を溝内に嵌め込んでもよい。形態が問われず、側壁１４２をレンズホルダ１３に固定すれば、全て本発明の保護範囲に含まれるものとする。
【００２２】
なお、押え防止部材１４には、頂壁１４１を貫通して収容空間１４０に連通するスロット１４３が開設されている。スロット１４３を通じて収容空間１４０内にコロイドを充填することができ、鏡筒１２及びレンズホルダ１３と押え防止部材１４との固定をより強固にして、レンズモジュール１００全体の信頼性を向上させる。
【００２３】
本実施形態では、好ましくは、スロット１４３は、頂壁１４１の外縁に接し、スロット１４３は、側壁１４２を貫通している。即ち、スロット１４３が開放しており、スロット１４３が頂壁１４１の外縁から内縁方向に向かって開設されており、外縁が切り開かれているので、コロイドの充填を便利にし、側壁１４２がコロイドの充填を邪魔することを避け、コロイドの充填操作効率を向上させる。
【００２４】
言うまでもなく、本発明の置き換え可能な実施形態では、スロット１４３と頂壁１４１の外縁とは、互いに間隔をあけてもよい。側壁１４２がスロット１４３に貫通されておらず、即ち、スロット１４３が開放しておらず、頂壁１４１の外縁が切り開かれず、スロット１４２は、頂壁１４１の外縁と内縁の間に位置し、このように、頂壁１４１の外縁が切り開かれることに比べ、スロット１４３が押え防止部材１４の構造強度に与える不良な影響を減少させるだけではなく、コロイドの充填時に、頂壁１４１の外縁によってコロイドを遮断する作用を果たし、コロイドが頂壁１４１の外縁から流れ出ることを避け、コロイドの無駄な使用を減少させることができる。
【００２５】
なお、スロット１４３の数は少なくとも２つである。このように、少なくとも２つのスロット１４３から収容空間１４０内にコロイドを充填することができ、レンズホルダ１３及び鏡筒１２と押え防止部材１４との接着面積を増大させ、レンズホルダ１３及び鏡筒１２と押え防止部材１４との接着力を増大させ、レンズホルダ１４及び鏡筒１２と押え防止部材１４をより強固に固定することができる。
【００２６】
なお、スロット１４３は、光軸ＯＯ´の周りに等間隔で分布している。このように設置することで、レンズホルダ１３及び鏡筒１２と押え防止部材１４との接着力の分布を均一にし、レンズモジュール１００の信頼性をさらに向上させる。
【００２７】
なお、スロット１４３は、鏡筒１２の光軸ＯＯ´を周回して弧状をなし、且つ弧状の弧長に対応する中心角は、０度より大きく、且つ９０度未満である。このように設計することで、押え防止部材１４の構造強度に与える影響を小さくすることができるとともに、スロット１４３が大きすぎることによって鏡筒１２とレンズホルダ１３がスロット１４３から露出してレンズモジュール１００の周囲における部品に押圧したり、衝突したりすることに起因して、レンズモジュール１００が破損することを避けることができ、レンズモジュール１００の性能への影響が避けられる。
【００２８】
上記各実施形態は、本発明を実現するための具体的な実施例であり、実際の応用では、それを形式的及び詳細に様々な変更を行うことができ、本発明の精神及び範囲から逸脱しないと当業者が理解できるであろう。
【図１】
2020024393.tif 000003
【図２】
2020024393.tif 000004